(57)【特許請求の範囲】
【請求項１】
ガラスからなる成型体の表面の少なくとも一部に光を反射する反射膜が設けられてなり、光源と光源が取り付けられるソケットとの少なくとも一方が挿通される挿通穴が底面に貫設された配光凹部を有する本体部と、本体部の配光凹部の外側へ突設されて挿通穴に連通した筒形状の支持部とを有し、
支持部の外面には、それぞれ、一端が本体部に連結されて支持部の軸方向に延長された回転止め部と、回転止め部の他端から支持部の周方向に延長された抜け止め部とを有する少なくとも１個のリブが突設されていて、
各リブの突出寸法を、それぞれ、本体部に近い側の端部において、本体部から離れた側の端部よりも小さくしたことを特徴とする反射鏡。
【請求項２】
請求項１記載の反射鏡と、光源が取り付けられるソケットと、反射鏡を支持部において支持するとともに光源が配光凹部内に位置するようにソケットを支持する器具本体とを備えることを特徴とする照明器具。
【発明の詳細な説明】
【技術分野】
【０００１】
本発明は、照明器具において光源の光の配光に用いられる反射鏡並びに該反射鏡を備える照明器具に関するものである。
【背景技術】
【０００２】
従来から、例えば図４及び図５（ａ）（ｂ）に示すように、ガラスからなり、内側に光源が配置される配光凹部１０（図６参照）を有し、配光凹部１０の内面に反射膜（図示せず）が形成されてなる反射鏡１が提供されている（例えば、特許文献１参照）。この種の反射鏡１は、反射膜の材料や厚さを適宜選択することにより、例えば可視光のみを反射し赤外光を透過させるダイクロイックミラーとすることができる。
【０００３】
図４及び図５（ａ）（ｂ）の反射鏡１は、例えば図６に示す照明器具に用いられる。図６の照明器具は、電球形状の白熱灯などの光源Ｌａが取り付けられるソケット２と、ソケット２に取り付けられた光源Ｌａを点灯させる点灯回路（図示せず）と、ソケット２と点灯回路とを収納したハウジング３とを備える。ハウジング３は、例えば天井面（図示せず）からアーム４を介して吊り下げ支持される。
【０００４】
反射鏡１は、配光凹部１０が設けられた本体部１１と、配光凹部１０の外側の面において配光凹部１０の深さ方向の外向き（図５（ｂ）の上方。以後、「後方」と呼ぶ。）に突設されて照明器具のハウジング３に支持される支持部１２とを有する。配光凹部１０の底面には、光源Ｌａが取り付けられるソケット２又は光源Ｌａの少なくとも一方が挿通される挿通穴１０ａが前後に貫設されており、支持部１２は、挿通穴１０ａに連通した円筒形状となっている。
【０００５】
この反射鏡１の支持部１２は、図６に示す照明器具のハウジング３に対し、周知のバヨネット構造によって支持される。具体的に説明すると、支持部１２の外面には、支持部１２の軸方向に延長された回転止め部１３ａと、回転止め部１３ａの後端部から支持部１２の周方向（前方から見て時計回り方向）に延長された抜け止め部１３ｂとを有する全体としてＬ字形状のリブ１３が、支持部１２の周方向に略等間隔に並べて４個設けられている。また、ハウジング３は有底円筒形状であって、開口付近の内面には４個の支持突起３１が周方向に並べてそれぞれ内側へ突設されている。反射鏡１をハウジング３に取り付けるには、支持突起３１をリブ１３の間に通して本体部１１の後端に当接する位置まで導入し、その後、反射鏡１をハウジング３に対して前方から見て時計回りに回動させれば、支持突起３１が抜け止め部１３ｂの前側に導入され、ここにおいて反射鏡１のハウジング３から前方への脱落が防止される。
【０００６】
また、反射鏡１には、例えば合成ゴムからなりハウジングに固着された環形状の保持材（図示せず）に支持部１２が嵌め込まれることによってハウジングに支持されるものもある。この場合、リブ１３は、保持材の内面に食い込んでハウジングに対する反射鏡１の回転であって前方から見た面内での回転を抑制するものであって、図７（ａ）（ｂ）に示すように、支持部１２の軸方向に延長された直線状となっている。
【０００７】
上記の反射鏡を製造するに当たっては、図８に示すように、反射鏡１の外面を形成する凹形状の下側金型５１内に溶融したガラスＧを配置した状態で、矢印Ａ１で示すように反射鏡１の内面を形成する上側金型５２を下側金型５１内に導入する。すると、図９に示すように、反射鏡１に、支持部１２の後端を閉塞する膨出部１４（破線よりも下側の部位）が付加された形状の成型品が得られ、この成型品から膨出部１４を切除して研磨し、さらに反射膜を形成することによって反射鏡１が得られる。なお、図４及び図５（ａ）（ｂ）の反射鏡１のリブ１３のような凹凸を有する外面を形成する場合には、例えば図４における左右方向の中央に相当する部位から左右に２つに分割可能な下側金型５１を用い、成型品を取り出す際に下側金型５１を分割する。
【特許文献１】特開２００５−２７５２３６号公報
【発明の開示】
【発明が解決しようとする課題】
【０００８】
しかし、本体部１１と支持部１２との連結部付近において、ガラスの流れが合流する箇所で合流したガラスの流れ同士が完全には融合せず線が現れるウェルドや、型の全体にガラスが行き渡らずに成型品の表面に凹凸が生じるスジといった不良が発生しやすかった。
【０００９】
本発明は上記事由に鑑みて為されたものであり、その目的は、成型時のウェルドやスジの発生が抑えられる反射鏡並びに該反射鏡を備える照明器具を提供することにある。
【課題を解決するための手段】
【００１０】
請求項１の発明は、ガラスからなる成型体の表面の少なくとも一部に光を反射する反射膜が設けられてなり、光源と光源が取り付けられるソケットとの少なくとも一方が挿通される挿通穴が底面に貫設された配光凹部を有する本体部と、本体部の配光凹部の外側へ突設されて挿通穴に連通した筒形状の支持部とを有し、支持部の外面には、それぞれ、一端が本体部に連結されて支持部の軸方向に延長された回転止め部と、回転止め部の他端から支持部の周方向に延長された抜け止め部とを有する少なくとも１個のリブが突設されていて、各リブの突出寸法を、それぞれ、本体部に近い側の端部において、本体部から離れた側の端部よりも小さくしたことを特徴とする。
【００１１】
本発明によれば、各リブの突出寸法をそれぞれ均一とする場合に比べ、成型時のウェルドやスジの発生が抑えられる。
【００１２】
請求項２の発明は、請求項１記載の反射鏡と、光源が取り付けられるソケットと、反射鏡を支持部において支持するとともに光源が配光凹部内に位置するようにソケットを支持する器具本体とを備えることを特徴とする。
【発明の効果】
【００１３】
本発明は、支持部の外面に突設された各リブの突出寸法を、それぞれ、本体部に近い側の端部において、本体部から離れた側の端部よりも小さくしたので、各リブの突出寸法をそれぞれ均一とする場合に比べ、成型時のウェルドやスジの発生が抑えられる。
【発明を実施するための最良の形態】
【００１４】
以下、本発明を実施するための最良の形態について、図面を参照しながら説明する。
【００１５】
なお、本実施形態の基本構成は従来例と共通であるので、共通する部分については同じ符号を付して図示並びに説明を省略する。
【００１６】
本実施形態は、図１（ａ）（ｂ）に示すように、リブ１３において前後方向のうち本体部１１に近い側の端部に、支持部１２からの突出寸法Ｈ１を他の部位における支持部１２からの突出寸法Ｈ２よりも小さくする凹部１３ｃを設けたことを特徴とする。
【００１７】
ここで、本発明者は、本実施形態の反射鏡１と、図５（ａ）（ｂ）及び図７（ａ）（ｂ）に示す従来の反射鏡１とで、それぞれ互いに寸法形状が異なる型Ａ〜Ｆについて、ウェルドの発生率及びスジの発生率を比較した。ウェルドの発生率は次表のようになった。
【００１８】
【表１】
0004720603.tif 000002
【００１９】
また、スジの発生率は次表のようになった。
【００２０】
【表２】
0004720603.tif 000003
【００２１】
上の表からも分かるように、本発明では、従来例に比べて成型時のウェルドやスジの発生が抑えられている。特に、型Ｄでは、ウェルドの発生率が従来例では１００％であったのに対して本発明は０％となり、スジの発生率が従来例では２１．２％であったのに対して本発明では０％となっており、顕著な差が現れている。
【００２２】
なお、本実施形態が従来の反射鏡１と同様に図６のような照明器具に用いることができることはいうまでもない。
【００２３】
また、図１（ａ）（ｂ）のように凹曲面形状の凹部１３ｃを設ける代わりに、図２（ａ）（ｂ）に示すように支持部１２からの突出寸法を本体部１１に向かって大きくするようにリブ１３を傾斜させることによって凹部１３ｃを設けてもよい。
【００２４】
因みに、本発明者は、本実施形態と同様の目的のために、図３（ａ）（ｂ）に示すように、リブ１３において幅寸法（すなわち支持部１２の周方向での寸法）を、支持部１２（図３（ａ）の例においては支持部１２の回転止め部１３ａ）の軸方向におけるリブ１３の端部のうち本体部１１から離れた側の端部から本体部１１に近い側の端部に向かって徐々に大きくした反射鏡１も試作中である。すなわち、図３（ａ）（ｂ）の反射鏡１のリブ１３においては、本体部１１に近い側での幅寸法Ｗ１は本体部１１から離れた側での幅寸法Ｗ２よりも大きくなっている。
【図面の簡単な説明】
【００２５】
【図１】（ａ）（ｂ）はそれぞれ本発明の実施形態を示す正面図であり、（ａ）（ｂ）はリブの形状が互いに異なる形態を示す。
【図２】同上の別の形態を示す正面図である。
【図３】（ａ）（ｂ）はそれぞれ反射鏡の例を示す正面図であり、（ａ）（ｂ）はリブの形状が互いに異なるものを示す。
【図４】反射鏡の一例を示す斜視図である。
【図５】（ａ）（ｂ）はそれぞれ従来の反射鏡の一例を示す図であり、（ａ）は平面図、（ｂ）は正面図である。
【図６】照明器具の一例を示す一部破断した正面図である。
【図７】（ａ）（ｂ）はそれぞれ従来の反射鏡の別の例を示す図であり、（ａ）は平面図、（ｂ）は正面図である。
【図８】反射鏡の製造方法を示す説明図である。
【図９】図８の製造方法の過程で形成される成型品を示す断面図である。
【符号の説明】
【００２６】
１  反射鏡
２  ソケット
３  ハウジング
１１  本体部
１２  支持部
１３  リブ
【図１】
0004720603.tif 000004
【図２】
0004720603.tif 000005
【図３】
0004720603.tif 000006
【図４】
0004720603.tif 000007
【図５】
0004720603.tif 000008
【図６】
0004720603.tif 000009
【図７】
0004720603.tif 000010
【図８】
0004720603.tif 000011
【図９】
0004720603.tif 000012